(57)【要約】【課題】従来の紙などの媒体に印刷されるコード情報は、一個で一つの情報を表わすのみであった。【解決手段】復号化することにより、一の情報の部分を構成する部分二次元コード情報６０３を配置するための二次元コード配置部６０２を有する印刷物を提供する。これにより、複数の二次元コード配置部に配置された二次元コード情報を一定の順番で、あるいはランダムに、様々な組み合わせで読み取ることにより、バリエーションにとんだ情報を復号化することが可能となる。【選択図】  図６
2005025591.tif 000002
【特許請求の範囲】
【請求項１】
復号化することにより一の情報の部分を構成する二次元コード情報である部分二次元コード情報を配置する二次元コード配置部を有する印刷物。
【請求項２】
前記印刷物は、新聞、雑誌又は広告であることを特徴とする請求項１に記載の印刷物。
【請求項３】
前記一の情報は、文字情報、画像情報、音声情報のいずれか一を含むことを特徴とする請求項１または２に記載の印刷物。
【請求項４】
前記一の情報は、コードを示すコード情報である請求項１または２に記載の印刷物。
【請求項５】
前記一の情報の部分は、単独では意味を取得できないものである請求項１または２に記載の印刷物。
【請求項６】
復号化することにより一の情報の部分を構成する二次元コード情報である部分二次元コード情報を配置する二次元コード配置部をそれぞれ有する複数の印刷物からなる印刷物セットであって、
前記複数の印刷物のそれぞれの前記二次元コード配置部に配置された部分二次元コード情報を復号化することで、一の情報を構成可能な印刷物セット。
【請求項７】
前記印刷物は、新聞、雑誌又は広告であることを特徴とする請求項６に記載の印刷物セット。
【請求項８】
前記一の情報は、文字情報、画像情報、音声情報のいずれか一を含むことを特徴とする請求項６または７に記載の印刷物セット。
【請求項９】
前記一の情報は、コードを示すコード情報である請求項６または７に記載の印刷物セット。
【請求項１０】
前記一の情報の部分は、単独では意味を取得できないものである請求項６または７に記載の印刷物セット。
【発明の詳細な説明】
【０００１】
【発明の属する技術分野】
本発明は、二次元コードを配置した印刷物に関する。
【０００２】
【従来の技術】
従来、情報をコード化したものを紙などの媒体に印刷することが行なわれている。例えば、バーコードなどがその代表例である。バーコードは、一方向だけに情報を持たせているが、この点を改善し、縦と横との二方向に情報を持たせることにより、記録できる情報量を増加させた二次元コードも使用されている。例えば、非特許文献１による二次元コードの規格では、一つの二次元コードに最大で、３キロバイト弱のバイナリデータを記録することが可能となっている。
【０００３】
一方、紙などの印刷媒体に音声情報を保持する特殊なコードを印刷し、それを再生することが行なわれている。例えば、非特許文献２では、音声情報をコード化し、紙に印刷しておき、それを専用の再生装置を用いて読み取り、音声を再生する機器が記されている。これにより、紙に印刷された文字情報による視覚情報と、その視覚情報に関連する音声情報と、を同時に得ることができる。例えば、学習効果の高い語学教材を提供したり、写真に音声メッセージを付加したりすることができる。
【０００４】
【非特許文献１】
社団法人電子情報技術産業協会、「日本工業規格（ＪＩＳ  Ｘ  ０５１０）」、日本国、日本工業標準調査会、１９９９年
【非特許文献２】
芹沢高志、武者徹、森田和彦、「スキャントークシステムの可能性を探る」、ＯＬＹＭＰＵＳ  ＴＥＣＨＮＯ  ＺＯＮＥ、日本国、オリンパス光学工業株式会社、１９９９年、Ｖｏｌ．４１、ｐ．２−９
【０００５】
【発明が解決しようとする課題】
しかしながら、例えば、二次元コードなどのコードを新聞などに印刷して俳優の声などを再生できるようにすれば、ある程度の目新しさは確かに得られるが、それによってその新聞を継続して購読しようと動機付けるまでには至らないのが通常である。この原因の一つとしては、従来のコードの利用では、一つのコードで得られる情報が完結してしまっており、他のコードと組み合わせることにより相乗的な効果が得られないことが挙げられる。
【０００６】
そこで、本発明は、複数のコードを組み合わせることにより相乗的な効果が得られる印刷物と印刷物セットを提供することを目的とする。
【０００７】
【課題を解決するための手段】
この課題を解決するために、本発明は、一の情報の部分をコード化した二次元コードを配置する部を有する印刷物を提供する。これにより、複数の二次元コードを入手してはじめて一の情報が得られるので、相乗的な効果が発生し、課題が解決される。また、一の情報が複数の印刷物に印刷された二次元コードにより表現されることにより、一の情報を復元してみたくなる人間の欲求を刺激し、読取装置を購入させる動機付けとなる。また、印刷媒体として、逐次刊行される雑誌などを用いることにより、雑誌などの売り上げを伸ばすことも可能となる。
【０００８】
また、本発明は、上記の印刷物からなる印刷物セットを提供する。これにより、印刷物セットの売り上げを伸ばすなどのことが可能となる。
【０００９】
【発明の実施の形態】
以下、本発明の実施形態について、図を用いて説明する。なお、本発明はこれら実施形態に何ら限定されるものではなく、その要旨を逸脱しない範囲において種々なる態様で実施し得る。
【００１０】
（発明の概要）
図１は、本発明の概要を説明するための図である。まず、一の情報１０１がある。この一の情報１０１を二次元コード化装置１０２に入力すると、二次元コード化装置１０２は、入力された一の情報１０１を適宜分割して分割情報を生成する。そして、それぞれの分割情報を二次元コード化し、部分二次元コード情報１０３、１０４、…、１０５を得る。得られた部分二次元コード情報は、紙などの媒体に印刷され、印刷物１０６、１０７、…、１０８を得る。この得られた印刷物が本発明に係る印刷物である。
【００１１】
このような印刷物が得られた操作の逆操作を行なうことにより、一の情報を復元することができる。すなわち、印刷物１０６、１０７、…、１０８に印刷された部分二次元コード情報を二次元コード再生装置１０９に入力することにより、部分二次元コード情報から分割情報が得られ、一の情報が得られるようになる。
【００１２】
一の情報が、印刷物１０６、１０７、…、１０８の全てが揃わないと復元できないことになり、一の情報の希少価値が高まる。また、印刷物１０６、１０７、…、１０８の価値を高めることができる。これにより、例えば、印刷物１０６、１０７、…、１０８を雑誌の各号とすることにより、その雑誌の売り上げを高めることができる。
【００１３】
また、印刷物１０６、１０７、…、１０８に印刷された二次元コードを特定の順序で二次元コード再生装置１０９に入力しないと一の情報が復元できないようにすれば、印刷物をゲームとして使用することができる。例えば、一の情報が画像を表わす情報となっている場合、それぞれの部分二次元コード情報は、画像から作られるジグソーパズルの１ピースに相当することになる。
【００１４】
また、部分二次元コード情報に画像の彩度、明度、テクスチャーなどの情報を分割して格納しておくことにより、部分二次元コード情報を読ませる順序によっては、元の画像とは全く別の画像をデコードすることも可能である。この結果、部分二次元コード情報を連続して読み込み、画像情報をコラボレーションすることが可能となり、より複雑な効果を生じさせることが可能となる。
【００１５】
図２は、一の情報から分割情報を得る態様を例示する。図２（ａ）に例示されているのは、一の情報２０１を左端（情報の始まり）から右端（情報の終わり）までを順に分割し、分割情報２０２、２０３、２０４、２０５が得られた様子である。これらの分割情報を二次元コード化することにより、部分二次元コード情報２０６、２０７、２０８、２０９が得られる。なお、図２（ａ）では、分割情報２０２、２０３、２０４、２０５に重複部分がないようになっているが、実際には、重複部分があってもよい（すなわち、一の情報の同じ部分の情報が複数の分割情報に含まれるようになっていてもよい）。
【００１６】
図２（ｂ）に例示されているのは、一の情報２１０を細かく分割し、そのように分割された情報を組み合わせて分割情報２１１、２１２、…が得られる様子である。
【００１７】
図２（ａ）に例示された分割の方法は、単純ではあるが、分割情報を解析することにより、その分割情報が一の情報のどの部分に当たるのかを推測されやすい傾向にある。一方、図２（ｂ）に例示された分割の方法は複雑であるが、一の情報をより細かく分割することにより、分割情報が一の情報のどの部分に当たるのかを推測し難くすることができる。
【００１８】
図３は、部分二次元コード情報が表わしている情報の構造を例示する。情報の構造は、ヘッダ部３０１と、本体部３０２と、フッタ部３０３とにより構成される。ヘッダ部３０１には、例えばヘッダ部のサイズを示すヘッダサイズ、本体部３０２のサイズを示す分割情報サイズ、一の情報がいくつに分割されたかを示す分割数、本体部３０２の情報が何番目のものであるかを示す番号などを含む。本体部３０２には、分割情報が配置される。フッタ部３０３には、ヘッダ部３０１と本体部３０２とのチェックサムが配置される。なお、図３は、あくまでも例示であり、部分二元コード情報の目的により、例えば、ヘッダ部３０１に番号や分割数などが無くてもよい。
【００１９】
図４は、部分二次元コード情報を生成する二次元コード化装置１０２の処理のフローチャートを例示する。まず、一の情報を入力する（ステップＳ４０１）。次に、入力された一の情報を適宜分割することにより、分割情報を生成する（ステップＳ４０２）。次に、分割情報のそれぞれを部分二次元コード情報とする（ステップＳ４０３）。例えば、図３に示したようにヘッダ部、フッタ部を追加することを行なう。最後に、部分二次元コード情報を印刷する（ステップＳ４０４）。なお、部分二次元コード情報は全てが一度に印刷される必要はない。このため、部分二次元コード情報が蓄積され、必要に応じて読み出されて印刷されるようになっていてもよい。また、二次元コード化装置１０２が部分二次元コード情報を印刷するのではなく、部分二次元コード情報を専用の印刷装置に送信するようになっていてもよい。
【００２０】
図５は、部分二次元コード情報から一の情報を復元する二次元コード再生装置１０９の処理のフローチャートである。図５のフローチャートにより示される処理は、一つの部分二次元コード情報の入力が行なわれる都度行なわれる。まず、部分二次元コード情報を取得する（ステップＳ５０１）。次に、部分二次元コード情報をデコードして分割情報を得る（ステップＳ５０２）。次に、分割情報を蓄積する（ステップＳ５０３）。その後、それまでに蓄積された分割情報を読み出し（例えば、取得された順に読み出す）、一の情報の復元を試みる（ステップＳ５０４）。復元が成功したかどうかを判断し（ステップＳ５０５）、もし復元に成功すれば、その一の情報を再生する（ステップＳ５０６）。復元が成功しなければ、復元できない旨の表示などを行なう（ステップＳ５０７）。なお、分割情報を蓄積する際には、部分二次元コード情報の示すヘッダ情報と関連付けて蓄積を行ない、復元の際には、関連付けられたヘッダ情報を参照しながら復元の処理を行なってもよい。
【００２１】
（実施形態１）
図６は、本発明の実施形態１に係る印刷物６０１を例示する。印刷物６０１は、二次元コード配置部６０２を有する。なお、印刷物６０１は、その材質として、紙、木、粘土、プラスティック、金属、石、陶器、コンクリートなど、印刷が可能であって、ある程度の時間にわたって印刷された内容を保持することが可能な材質により構成される。
【００２２】
「二次元コード配置部」６０２は、部分二次元コード情報６０３を配置する。「部分二次元コード情報」とは、復号化することにより一の情報の部分を構成する二次元コード情報である。この二次元コード情報の例としては、非特許文献１として挙げたものなどがある。
【００２３】
なお、図６では、二次元コード配置部６０２は、印刷物６０１の右下に配置されているが、右下に配置することが発明の本質ではない。左上、右上、左下、中央部、など、印刷物６０１の任意の場所に配置することができる。また、図６では、二次元コード配置部が一つだけ配置されているが、二次元コード配置部は、複数配置されていてもよい。また、図６において、二次元コード配置部が点線で囲まれているが、これは説明の便宜上のものであり、実際には存在する必要はない。
【００２４】
図７は、「復号化することにより一の情報の部分を構成する部分二次元コード情報」の概念を説明するための図である。線分７０１が、一の情報を表わすとする。また、部分二次元コード情報６０３を復号化することにより、線分７０２により表される情報が得られるとする。このとき、線分７０２により表される情報が、一の情報の一部となっている。線分７０２により表される情報が、一の情報のどこの一部となっているかは、例えば、部分二次元コード情報６０３を復号化した際のヘッダ部分に書かれていたり、別の部分二次元コード情報により指定されていたりしてもよい。図７は、図２（ａ）の分割に相当する場合を例示しているが、「復号化することにより一の情報の部分を構成する部分二次元コード情報」の概念が、図２（ｂ）のような分割に相当するようなものであってもよい。
【００２５】
本実施形態により、一の情報を復元するためには、他の印刷物の二次元コード配置部に配置された部分二次元コード情報が必要となる印刷物が提供される。これにより、一の情報の価値を高めたり、一の情報を復元するのに必要な印刷物の価値を高めたりすることが可能となる。
【００２６】
（実施形態２）
本発明の実施形態２に係る印刷物は、実施形態１に係る印刷物を新聞、雑誌又は広告としたものである。なお、本実施形態における印刷物は、本実施形態に係る印刷物が、複数の印刷物を綴じるなどの一体化する操作を行なって新聞、雑誌又は広告になるようになっていてもよい。この場合、そのようにして得られる新聞、雑誌又は広告のどこかに二次元コード配置部を有することになる。また、各ページに二次元コード配置部があってもよい。一つの新聞又は雑誌に複数の二次元コード配置部がある場合、一つの新聞又は雑誌の二次元コード配置部に配置された部分二次元コード情報を復号化することにより、一の情報が得られるようになっていてもよい。
【００２７】
このようにすることにより、例えば、複数の部分二次元コード情報をランダムな順序に配置し、適切な順序で部分二次元コード情報を読み取って得られる一の情報を得ることを懸賞の目的とすることができる。この結果、雑誌又は新聞の売り上げを伸ばすことができる。また、部分二次元コード情報の読取装置の普及を上げることにもなる。同様に、広告の場合には、例えば、適切な順序で部分二次元コード情報を読み取ることにより得られる一の情報を提示した者を販売価格などにより優待などすることで、広告の効果を上げることができる。
【００２８】
なお、部分二次元コード情報を読み込む場合、同じ部分二次元コード情報が複数回読み込まれてもよい。例えば、雑誌や新聞の各号に印刷されている部分二次元コード情報を順番に読み込む場合、異なる号に同じ部分二次元コード情報が印刷されており、その部分二次元コード情報が複数回読み込まれるようになっていてもよい。また、ランダムな順序で読み込む場合、一度読み込まれた部分二次元コード情報がその読み込みの順序の中で複数回読み込まれてもよい。また、通常の号に印刷された部分二次元コード情報を読むことに加えて、増刊号や記念号に印刷された部分二次元コードを複数回読み込むことができるようになっていてもよい。
【００２９】
複数回読み込まれる部分二次元コード情報のそれぞれは、同一に復号化されてもよいし、異なるように復号化されてもよい。例えば、先に読み込まれた部分二次元コード情報によって、同じ部分二次元コード情報から異なる情報が復号化されてもよい。このようにすることにより、例えば、一の情報が音声情報である場合に、音声がハーモニーになったり、副音声や効果音などを付加したりすることが可能となる。すなわち、先に読み込まれた部分二次元コード情報によりキーの指定を行なうことにより、複数回読み込まれる部分二次元コード情報の情報が再生されるときの音の高さが指定されるようになっていてもよい。また、同じ効果音が複数回用いられる場合には、用いられている回数に応じて、効果音の部分の情報を符号化した部分二次元コード情報が複数回読み込まれるようになっていてもよい（このような効果音は、雑誌や新聞などの増刊号や記念号などに印刷されていてもよい）。また、時々しか雑誌や新聞などが購入されない場合であっても、同じ部分二次元コード情報を複数回読み込ませる順序や回数によって、異なる一の情報が得られ、変化を楽しむことも可能となる。
【００３０】
また、本実施形態でいう新聞、雑誌は、逐次刊行されるものであってもよく、逐次刊行されたそれぞれの新聞又は雑誌の二次元コード配置部に配置された部分二次元コード情報が一の情報の部分を構成するようになっていてもよい。
【００３１】
このようにすることにより、新聞又は雑誌を続けて購買しないと一の情報を得ることができないので、雑誌又は新聞の売り上げを伸ばすことができる。また、広告の場合には、複数の印刷物の部分二次元コード情報を読み取ることにより、一の情報が得られるようになっていてもよい。例えば、その一の情報を提示した者を販売価格などにより優遇などする特典を実施することで、広告を長期間保持してもらえるなど、広告の効果を上げることができる。
【００３２】
（実施形態３）
本発明の実施形態３に係る印刷物は、実施形態１または２に係る印刷物において、一の情報が、文字情報、画像情報、音声情報のいずれか一を含むようにしたものである。
【００３３】
「文字情報」とは、文字からなる情報であり、例えば、ＡＳＣＩＩ、シフトＪＩＳ、ＥＵＣなどの規格に基づいて表現される。
【００３４】
「画像情報」とは、画像を表わす情報であり、例えば、ＪＰＥＧ、ＧＩＦ、ＢＭＰなどのフォーマットにより表現される。
【００３５】
「音声情報」とは、音声を表わす情報であり、例えば、ＷＭＡ、ＭＰ３などのフォーマットにより表現される。
【００３６】
文字情報は、画像情報や音声情報に比べて、それほど大きくならない傾向があるが、例えば、雑誌に印刷される文字情報全てを一の情報とする場合には、複数の部分二次元コード情報に分割する必要が生じる場合がある。
【００３７】
本実施形態によれば、例えば、印刷物の肉眼で認識できる内容に関連した文字情報、画像情報、音声情報を含む情報が提供でき、印刷物のマルチメディア性を高めることができる。また、限られた紙面で文字だけでは伝えることができない内容、例えば、雑誌、新聞、広告で紹介する店舗の雰囲気を伝える画像や音声を読者に提示することができる。
【００３８】
（実施形態４）
本発明の実施形態４に係る印刷物は、実施形態１または２に係る印刷物において、一の情報が、コードを示すコード情報となっているものである。
【００３９】
「コード」とは、復号化することにより、人間が理解できるようになる情報である。そのような情報は、文字で表されている場合と、画像で表されている場合と、がある。
【００４０】
コードが文字で表されている場合には、例えば、コードの表わす文字列と復号化後の情報との対応表により復号化される。例えば、郵便番号のように数字と’−’とからなる文字列から、郵便番号表を用いることにより、住所の一部が復号化される。また、プログラムも文字で表されるコードの例である（プログラムの場合には、復号化とはプログラムの実行を意味すると解釈してもよい。）。
【００４１】
文字を表わすコードを使用することにより、一の情報のサイズを小さくすることが可能となる。また、一の情報を暗号化することができる。
【００４２】
コードが画像で表されている場合には、例えば、一の情報がバーコードの画像であったり、二次元コードの画像であったりする。この場合には、部分二次元コード情報は、バーコードや二次元コードの画像の部分の画像情報をコード化したものになる。画像情報のサイズは一般には文字情報のサイズより大きくなるが、本発明では、画像情報を分割して部分二次元コード情報を得るので、サイズが大きくても表現することができる。
【００４３】
画像を表わすコードを使用することにより、一の情報の表わす情報を暗号化することができる。また、一の情報を、復号化を行なう必要があるので、その復号化の装置を普及させるようにすることができる。
【００４４】
（実施形態５）
本発明の実施形態５に係る印刷物は、実施形態１または２に係る印刷物において、前記一の情報の部分は、単独では意味を取得できないものとなっている印刷物である。「前記一の情報の部分」とは、部分二次元コード情報が表わす情報を意味する。
【００４５】
単独では意味を取得できないものとするには、例えば、前記一の情報の部分を暗号化してもよい。この場合、複数の部分二次元コード情報を特定の順序で読み取り、複数の一の情報の部分の列Ｐ１、Ｐ２、Ｐ３、…が得られるとき、図８に例示されるように、ＰｉにＰｉ＋１を復号化するための復号化鍵を含め、Ｐｉ＋１にＰｉ＋２を復号化する復号鍵を含めるようにしてもよい。
【００４６】
このように一の情報の部分が単独では意味を取得できないものとすることにより、全ての部分二次元コード情報を得なければ、一の情報を得ることができなくなり、印刷物を入手する動機付けとなり、雑誌、新聞の売り上げを伸ばしたり、人々が広告を手にする率を高めたりすることができる。
【００４７】
（実施形態６）
図９は、本発明の実施形態６に係る印刷物セットを例示する。印刷物セットは、複数の印刷物９０１、９０２、…、９０３からなる。それぞれの印刷物は、実施形態１などのように、二次元コード配置部９０４、９０５、…、９０６を有する。なお、図示された二次元コード配置部が点線で囲まれているのは説明の便宜上のおのであり、実際には印刷されている必要はない。また、印刷物セットの全ての印刷物が二次元コード配置部を有している必要はない。複数の印刷物がまとまりを有して印刷物セットを構成し、その複数の印刷物に複数の二次元コード配置部があればよい。
【００４８】
本実施形態においては、複数の印刷物９０１、９０２、…、９０３のそれぞれの二次元コード配置部９０４、９０５、…、９０６に配置された部分二次元コード９０７、９０８、…、９０９を復号化することで、一の情報を構成可能となっている。例えば、図９に示されているように、部分二次元コード情報９０７、９０８、…、９０９を復号化することにより、線分９１１、９１２、…、９１３で表わされる情報が得られたとすると、これらの情報を順に組み合わせることにより、一の情報９１０が得られる。なお、部分二次元コード９０７、９０８、…、９０９を復号化して得られる情報を順に組み合わせることは、あくまでも例であり、他の様々な組み合わせ方を排除するものではない。
【００４９】
本実施形態により、印刷物がセットとして揃わないと、一の情報が構成できないので、印刷物セットの価値を高め、例えば、売り上げを伸ばすことができる。
【００５０】
（実施形態７）
本発明の実施形態７に係る印刷物セットは、実施形態６に係る印刷物セットの印刷物を、新聞、雑誌又は広告としたものである。
【００５１】
新聞、雑誌、広告などは、一度読んでしまうと捨てることが多いが、本実施形態のように、一の情報を構成可能な部分二次元コード情報を持たせることにより、容易に捨てられてしまうことを防止することができる。これにより、新聞、雑誌、広告の内容が読まれる機会が多くなる。
【００５２】
（実施形態８）
本発明の実施形態８に係る印刷物セットは、実施形態６または７において、一の情報を文字情報、画像情報、音声情報のいずれか一を含むようにしたものである。
【００５３】
このようにすることにより、ジグソーパズルを完成させるように、一の情報を印刷物セットより構成することができるので、印刷物セットを読み進める動機付けとすることができる。
【００５４】
（実施形態９）
本発明の実施形態９に係る印刷物セットは、実施形態６または７において、一の情報を、コードを示すコード情報とした印刷物セットである。「コード」については実施形態４の説明がそのまま適用される。
【００５５】
このように一の情報をコード情報とすることにより、一の情報のサイズを小さくしたり、暗号化を行なったりすることができる。
【００５６】
（実施形態１０）
本発明の実施形態１０に係る印刷物セットは、実施形態６または７において、前記一の情報の部分は、単独では意味を取得できないようにした印刷物セットである。
【００５７】
「前記一の情報の部分」とは、印刷物セットを構成する印刷物の部分二次元コード情報が表わす情報を意味する。
【００５８】
単独では意味を取得できないようにするには、例えば、実施形態５において説明した方法を用いる。
【００５９】
このように一の情報の部分が単独では意味を取得できないものとすることにより、全ての部分二次元コード情報を得なければ、一の情報を得ることができなくなり、印刷物を入手する動機付けとなり、印刷物セットの売り上げを上げたり、注目の度合いを上げたりすることができる。
【００６０】
【発明の効果】
以上のように、本発明によれば、印刷物や印刷物セットの売り上げを上げたり、注目の度合いを上げたりすることができるなど、印刷物や印刷物セットの価値を高めることができる。
【図面の簡単な説明】
【図１】本発明の概要を示す図
【図２】情報の分割の態様の例を示す図
【図３】分割情報にフッタとヘッダとが付加された分割情報の構造の一例図
【図４】部分二次元コード情報を得る処理のフローチャート
【図５】部分二次元コード情報から一の情報を得る処理のフローチャート
【図６】本発明に係る印刷物の一例図
【図７】部分二次元コード情報と一の情報との関係を示す図
【図８】前の部分二次元コード化情報に復号化鍵が埋め込まれた部分二次元コード情報の列の一例図
【図９】本発明に係る印刷物セットの一例図
【符号の説明】
６０１  印刷物
６０２  二次元コード配置部
６０３  部分二次元コード情報
【図１】
2005025591.tif 000003
【図２】
2005025591.tif 000004
【図３】
2005025591.tif 000005
【図４】
2005025591.tif 000006
【図５】
2005025591.tif 000007
【図６】
2005025591.tif 000008
【図７】
2005025591.tif 000009
【図８】
2005025591.tif 000010
【図９】
2005025591.tif 000011